(57)【要約】【課題】  防巣具をできるだけ少ない労力で腕金に取付け得るとともに、腕金から脱落するのを確実に防止し得る取付装置の提供。【解決手段】  防巣具２を固定するための固定板５、腕金３に装着されるクリップ部１３を有し、クリップ部１３は装着時には腕金３に対して非回転となるよう腕金３の外面に係止するクランプ部材１４と、クランプ部材１４を開閉操作する操作部材１５とを有し、クランプ部材１４は腕金３の両側面を挟むことで腕金３の外面に係止する一対の挟持壁１７を有し、操作部材１５を操作することで挟持壁１７どうしが接近離間するよう構成し、クランプ部材１４を腕金３の外面に係止した取付姿勢に保持すべくクランプ部材１４の挟持壁１７どうしに亙すよう外装される保持具２１を設け、保持具２１をクランプ部材１４に着脱自在に設けた構成の防巣具取付装置。【選択図】  図１
2010246258.tif 000002
【特許請求の範囲】
【請求項１】
防巣具を矩形断面形状の腕金に取付けるための取付装置であって、
防巣具を固定するための固定部と、該固定部に一体的に設けられて腕金に装着されるクリップ部とを有し、
該クリップ部は、腕金への取付姿勢で腕金に対して非回転となるよう腕金の外面に係止するクランプ部材を有し、
クランプ部材の取付姿勢においてクランプ部材に装着されて取付姿勢を保持する保持具が設けられていることを特徴とする防巣具取付装置。
【発明の詳細な説明】
【技術分野】
【０００１】
本発明は、電柱に固定された腕金に防巣具を取付けるための取付装置に関する。
【背景技術】
【０００２】
従来から、鳥害を防止するために電柱に固定された腕金に防巣具が設置されている。防巣具を腕金に取付ける取付装置として、例えば下記特許文献１に示す技術が提案されている。特許文献１（特に図６参照）に開示された取付装置は、上腕部と下腕部とを有し、上腕部と下腕部とで矩形断面形状の腕金を挟込むようにして防巣具を固定する構成である。
【０００３】
この取付装置を用いて防巣具を腕金へ取付けるには、予め防巣具を固定してある上腕部を腕金の上面および一方の側面に係合して取付装置全体を一時的に腕金に保持した状態とし、続いて下腕部を持上げて、下腕部の突起部近傍の軸部を上腕部のスリット状の溝に差込む、といった手順で行われる。
しかしながら上記のような細やかな作業を、近年用いられている間接活線工法によって実施することは作業者にとって難しく、多くの労力が必要になる。
【０００４】
そこで特許文献１では、さらに次のような取付装置を提案している。
すなわち、腕金側に固定されるボルトと、防巣具が取付けられボルトが挿通される孔が形成された取付プレートと、ボルトに螺合するナット部材とを有した構成である。
この取付装置を用いて防巣具を腕金へ取付けるには、ボルトを予め腕金側に固定しておき、予め防巣具を固定してある取付プレートをボルトの上方まで移動させ、取付プレートの孔をボルトに位置合わせして下降させることで、腕金の上面から上方に突出しているボルトの上部に孔を挿通して取付具を腕金に載せ、その後、ボルトの上部にナット部材を締結する、といった手順で行われる。
【先行技術文献】
【特許文献】
【０００５】
【特許文献１】特開２００７−１７４９６８号公報
【発明の概要】
【発明が解決しようとする課題】
【０００６】
しかしながら、このような取付作業には、ナットをボルトに締結するという作業を含んでおり、これは間接活線工法を用いて行うには難しい作業であって、その分だけ作業者に負担を強いる作業になっている。
【０００７】
そこで本発明は上記問題に鑑み、防巣具をできるだけ少ない労力で腕金に取付け得るとともに、腕金から脱落するのを確実に防止し得る取付装置の提供を目的とする。
【課題を解決するための手段】
【０００８】
本発明は、防巣具を矩形断面形状の腕金に取付けるための取付装置であって、防巣具を固定するための固定部と、該固定部に一体的に設けられて腕金に装着されるクリップ部とを有し、該クリップ部は、腕金への取付姿勢で腕金に対して非回転となるよう腕金の外面に係止するクランプ部材を有し、クランプ部材の取付姿勢においてクランプ部材に装着されて取付姿勢を保持する保持具が設けられていることを特徴としている。
【０００９】
上記構成において、クランプ部材が腕金の外面に係止してクリップ部が腕金に対して非回転となるようクランプ部材を腕金に取付け、クランプ部材に保持具を装着することでクランプ部材の取付姿勢が保持される。
このようにすることで、ボルトにナットを締付けるといった操作をしなくてもクリップ部が腕金に取付けられるから、固定部に予め防巣具を固定しておくことで、防巣具を容易に腕金に取付けられる。
【００１０】
特に、間接活線工法を用いて防巣具を腕金に取付ける場合では、ボルトにナットを締付けるという作業がないから、防巣具の取付作業が極めて少ない労力ですむ。
なお、メンテナンス等のために防巣具を腕金から取外すには、保持具をクリップ部から取外し、クランプ部材での腕金の把持を外す。
【発明の効果】
【００１１】
本発明の取付装置は、防巣部を固定する固定部と、矩形断面形状の腕金の側面を挟むようにして装着されるクランプ部材を有しているから、ボルトにナットを締結するような煩わしい作業を必要とすることなくクランプ部材によって腕金の側面を挟むようにすることで、防巣部が固定された固定部を腕金に取付けることができ、クランプ部材に保持具を装着することで、腕金に対する非回転状態を確実に保持して、取付装置が腕金から脱落してしまうのを効果的に防止することができる。
【図面の簡単な説明】
【００１２】
【図１】本発明の実施形態の防巣具取付装置を腕金に取付けた状態を示す正面図
【図２】同じく側面図
【図３】同じく固定部とクリップ部との関係を示す斜視図
【図４】同じく取付け途中を示す概略正面図
【図５】同じく取付け後の概略正面図
【発明を実施するための形態】
【００１３】
以下、本発明の実施形態に係る防巣具取付装置を、図面に基づいて説明する。防巣とは、カラス等の鳥類の巣作りを意味するのみならず、より広い意味での鳥害を防止する意味合いである。
図１は防巣具取付装置を腕金に取付けた状態を示す正面図、図２は同じく側面図、図３は固定部とクリップ部との関係を示す斜視図、図４は取付け途中を示す概略正面図、図５は取付け後の概略正面図である。
【００１４】
この実施形態における防巣具取付装置１は、防巣具２を腕金３に取付けるための装置である。
腕金３は電柱４の上部に結束バンド４ａなどの適宜の固定手段を用いて略水平に保持されており、腕金３は長手方向に同一の矩形断面に形成されている。このような腕金３の外面は、上面３ａ、下面３ｂ、および両側面３ｃ，３ｃによって構成されており、何れの面も平坦面に形成されている。
【００１５】
防巣具取付装置１は、防巣具２を着脱自在に固定するための固定板（固定部）５を有する。固定板５は腕金３の上面３ａと平行に配置される水平な平板から形成されており、その板面略中心に防巣具２の取付孔５ａが貫通して形成されている。
防巣具２は公知の放射状槍式防巣具であり、具体的には基台部６、および基台部６の上部から上方あるいは斜め上方に延設される複数本の針状体７から構成されている。
【００１６】
基台部６の下面にはボルト１０が下方に向けて突出しており、このボルト１０が取付孔５ａを上方から貫通して固定板５の下面から下方に突出しており、その突出部分にナット１１が螺合して締結されている。このような構成により、防巣具２が固定板５に着脱自在に固定されている。
固定板５の前部にバネ支持部１２が一体的に形成されている。バネ支持部１２は固定板５に比べて肉厚に設定された板状に形成されている。
【００１７】
防巣具取付装置１は、固定板５に一体的に設けられて腕金３に装着されるクリップ部１３を有している。クリップ部１３は、クランプ部材１４，１４およびクランプ部材１４，１４を開閉操作するための操作部材１５，１５、およびキックバネ１６，１６から構成されている。これらクランプ部材１４，１４、操作部材１５，１５、およびキックバネ１６，１６は、それぞれ左右一対で設けられている。
クリップ部１３を構成するこれら部材のうち、クランプ部材１４，１４および操作部材１５，１５は一体的に形成されている。具体的には、クランプ部材１４，１４はクリップ部１３の下部を構成し、操作部材１５，１５はクリップ部１３の上部を構成している。
【００１８】
クランプ部材１４，１４は、腕金３の両側面３ｃ，３ｃを左右から挟むことで腕金３の両側面３ｃ，３ｃに係止可能な平板状の挟持壁１７，１７と、腕金３の下面３ｂに係止可能な板状の爪部材１８，１８とを有している。爪部材１８，１８は、挟持壁１７，１７の下端部にそれぞれ一体的に形成されている。爪部材１８，１８どうしは、それぞれ対向するように（向き合うように）、挟持壁１７，１７の下端部から挟持壁１７，１７に対して直角方向に延長されている。
爪部材１８，１８の左右方向長さは、それぞれ腕金３の下面３ｂの左右幅の半分よりもさらに小さい長さに設定されており、爪部材１８，１８はそれぞれ下面３ｂの左右領域寄りに上下方向で対向するものである。
【００１９】
このように、クランプ部材１４，１４の挟持壁１７，１７および爪部材１８，１８は、それぞれ両側面３ｃ，３ｃ、下面３ｂに係止可能で、腕金３への装着時には腕金３に対して非回転となるよう腕金３の外面に係止可能な構成を有している。したがってクランプ部材１４，１４は、腕金３に対して非回転となるために、所定の前後方向の長さに設定されている。
なおこの場合、係止可能とは、挟持壁１７，１７においては両側面３ｃ，３ｃにほぼ接触状態で左右方向で対向することができ、爪部材１８，１８においては下面３ｂにほぼ接触状態で上下方向で対向することのできる状態を意味する。
【００２０】
各挟持壁１７，１７の外面の略中心に、外方へ向けて突出する係止突起２０，２０がそれぞれ形成されている。この係止突起２０，２０は後述の保持具２１を保持するために設けられており、保持具２１については後に詳述する。
【００２１】
操作部材１５，１５は、挟持壁１７，１７の上端前部側からさらに上方に延設するよう形成されている。
操作部材１５，１５の上端部外側には、操作部材１５，１５の上端部どうしに亙すようにしてヤットコ等の操作具Ｃで把持した際に、操作具Ｃが滑らないように、あるいは確実に把持できるように凹凸形状などに形成された被把持部２２，２２が設けられている。
【００２２】
バネ支持部１２の前面に、前方に突出するよう一体的に形成された左右一対の支持突起２３，２３が形成されている。各支持突起２３，２３にキックバネ１６，１６が外嵌するよう保持されている。そしてキックバネ１６，１６の一端部はバネ支持部１２の前面に固定され、他端部は操作部材１５，１５の前面に固定されている。このキックバネ１６，１６は、操作部材１５，１５を互いにキックバネ回りに離間させ、クランプ部材１４，１４を互いにキックバネ回りに接近させる方向にクリップ部１３を付勢している。
つまり、クリップ部１３はキックバネ１６，１６回りに垂直面内で揺動自在に設けられている。
【００２３】
防巣具取付装置１は、前記保持具２１を有する。保持具２１は、クランプ部材１４，１４を腕金３の外面に係止した姿勢に保持すべくクランプ部材１４，１４の挟持壁１７，１７どうしに亙すよう外装されるものである。そして保持具２１はクランプ部材１４，１４に着脱自在に設けられている。
【００２４】
保持具２１は、各挟持壁１７，１７の左右外側に重なる板状の第一保持壁２５，２５と、爪部材１８，１８に下方から重なる第二保持壁２６とを有して上方開放の断面コ字型に形成されている。保持具２１はクランプ部材１４，１４を被覆できるようクランプ部材１４，１４とほぼ等しい前後方向の長さに形成されている。
第二保持壁２６の下面には、操作具Ｃで把持される膨出部３１が形成されている。
【００２５】
第一保持壁２５，２５には、係止突起２０，２０に係合する孔部２７，２７が形成されている。また第一保持壁２５，２５には、クランプ部材１４，１４への装着時に係止突起２０，２０が孔部２７，２７に係合するよう第一保持壁２５，２５を挟持壁１７，１７に沿って案内するためのスリット部３０，３０（図２参照）が形成されている。
スリット部３０，３０は第一保持壁２５，２５の上端から孔部２７，２７まで延長して形成されるとともに上端側が広幅に、孔部２７，２７側が狭幅に形成されている。そして、スリット部３０，３０の孔部２７，２７側の幅は孔部２７，２７の径に比べて小さく設定されている。
なお、上記防巣具取付装置１は、キックバネ１６，１６以外は合成樹脂によって形成されている。
【００２６】
上記構成の防巣具取付装置１を腕金３に装着する手順を説明する。この場合は、間接活線工法を用いる。まず、固定板５に、ボルト１０、ナット１１によって防巣具２を固定しておく。このように、防巣具２を固定した状態の防巣具取付装置１を操作具Ｃで把持して腕金３の上方に位置させるのであるが、このとき、クリップ部１３はキックバネ１６，１６の弾性により操作部材１５，１５どうしは互いに離間するよう支持突起２３，２３回りに回動した状態にあるから、キックバネ１６，１６の弾性に抗して、操作部材１５，１５どうしを接近させるよう操作具Ｃで被把持部２２，２２どうしを把持する。そして、防巣具取付装置１を腕金３の上方まで移動させる。
【００２７】
操作部材１５，１５どうしを接近させるよう操作具Ｃで被把持部２２，２２どうしを把持すると、クランプ部材１４，１４の爪部材１８，１８どうしが互いに離間した状態になるから、防巣具取付装置１を下降させて爪部材１８，１８どうしの間に腕金３が入り込むようにし、防巣具取付装置１をさらに下降させる（図４参照）。そして、バネ支持部１２の下面が腕金３の上面３ａに載った時点で、操作具Ｃによる把持を解除する。
そうすると、キックバネ１６，１６の弾性により、クリップ部１３は、その操作部材１５，１５どうしが離間しクランプ部材１４，１４どうし、すなわち挟持壁１７，１７どうし、および爪部材１８，１８どうしが接近する。
【００２８】
しかしながら、クランプ部材１４，１４の間には腕金３が存在するから、クランプ部材１４，１４どうしの接近は、挟持壁１７，１７が腕金３の側面３ｃに外側（側方）から当接するとそれ以上は接近しない。さらに、爪部材１８，１８が腕金３の下面３ｂの下方から接触するようにして下面３ｂに対向する。
つまり、挟持壁１７，１７が腕金３の側面３ｃ，３ｃに係止し、爪部材１８，１８が腕金３の下面３ｂに係止する。よって腕金３の外面は、バネ支持部１２、クランプ部材１４，１４によって四方を覆った取付姿勢となって、防巣具２（クリップ部１３）は腕金３に対して非回転に保持される。
【００２９】
しかしながら防巣具２には風荷重や振動などがしばしば作用するから、より確実に防巣具２を腕金３に対して固定する必要がある。そこで、保持具２１をクランプ部材１４，１４に装着する。
【００３０】
すなわち、第二保持壁２６の下面に形成した膨出部３１を操作具Ｃで把持して、その開放部からクランプ部材１４，１４が保持具２１に挿入されるように持上げる。このとき、係止突起２０，２０が第一保持壁２５，２５に形成したスリット部３０，３０に合致するようにして保持具２１を持上げれば、スリット部３０，３０がガイドとなって、保持具２１を簡単にクランプ部材１４，１４の前後方向で位置合わせした状態で持上げることができる。また、スリット部３０，３０は上端側が広幅に形成されているから、係止突起２０，２０にスリット部３０，３０を位置合わせし易い。
なお、爪部材１８が腕金３の下面３ｂに上下方向で係止しているから、保持具２１を持上げても、クランプ部材１４，１４はその場に保持されている。
【００３１】
さらに保持具２１を上昇させると、孔部２７，２７に係止突起２０，２０が入り、スリット部３０，３０の孔部２７，２７側の幅は孔部２７，２７の径に比べて小さく設定されているから、係止突起２０，２０が孔部２７，２７に係止する。この係止により、保持具２１が脱落するのを防止できる。
そして、保持具２１の第一保持壁２５，２５は支持壁１７，１７を側方で覆い、第二保持壁２６は爪部材１８，１８を下方から覆うから、クランプ部材１４，１４が側方と下方の三方で覆われた状態で、クランプ部材１４，１４の取付姿勢が保持される。このため防巣具２に風荷重などが働いても、防巣具２は腕金３に対して非回転の状態を確実に保持することができる。つまり、防巣具２が腕金３から外れてしまうのを確実に防止することができる。
【００３２】
この実施形態によれば、防巣具２を腕金３に対して取付けるのに、操作具Ｃでクリップ部１３の操作部材１５，１５を接近させて挟持壁１７，１７（爪部材１８，１８）どうしを離間させて腕金３の上方から被せるようにすることで防巣具２を腕金３に容易に取付けることができる。つまり操作具Ｃを用いてボルトに対してナットを締付けるような難しい作業が不要になるから、間接活線工法を用いる場合でもその分だけ作業者の負担を軽減することができる。
このことは、腕金３に取付ける防巣具２の数が多いほど、従来の装置に比べて顕著になる。
【００３３】
なお、上記実施形態では、防巣具２は放射状槍式防巣具を例に説明したが、防巣具２はこれに限定されず、他の防巣具であってもよい。
また、クリップ部１３を所定の方向に付勢する手段としてキックバネ１６，１６を用いているが、これに限定されない。
【符号の説明】
【００３４】
１…防巣具取付装置、２…防巣具、３…腕金、３ａ…上面、３ｂ…下面、３ｃ…側面、５…固定板、５ａ…取付孔、１２…バネ支持部、１３…クリップ部、１４…クランプ部材、１５…操作部材、１６…キックバネ、１７…挟持壁、１８…爪部材、２０…係止突起、２１…保持具、２２…被把持部、２３…支持突起、２５…第一保持壁、２６…第二保持壁、２７…孔部、３０…スリット部
【図１】
2010246258.tif 000003
【図２】
2010246258.tif 000004
【図３】
2010246258.tif 000005
【図４】
2010246258.tif 000006
【図５】
2010246258.tif 000007